(57)【要約】      （修正有）【課題】軽量で緩衝容量の大きい緩衝器及びこれを用いた安全確保ロープを提供する。【解決手段】一本の強靭な鋼線１（例えばニッケルクロム鋼線）を屈曲して、安全ベルト２を挿通する長孔部３を設けると共に、中央部から直角に折り曲げて中心線４と平行な狭小部５を成形し、前記挟小部５から外側に膨出した孤状部６、６を屈曲成形して、その端部を孤形部７に連結し、前記孤形部７の開口側へ突起８、８を連設して孤形部７をほぼ円形に形成して、この考案の緩衝環１０を構成した。【選択図】図１
0003118480.tif 000002
【実用新案登録請求の範囲】
【請求項１】
鋼線を屈曲してベルト挿通用の長孔部と、安全確保綱の取付孔部とを形成し、その間を屈曲部で連結したことを特徴とする緩衝環。
【請求項２】
屈曲部は、外側への張出部と、内側への狭小部とを中心線に対し、対称的に連結したことを特徴とする請求項１記載の緩衝環。
【請求項３】
取付孔部は、突縁を設けてほぼ円形、コ形、又は長孔状に形成したことを特徴とする請求項１記載の緩衝環。
【請求項４】
屈曲部は、中心線に対し、同一形状で対称的に形成したことを特徴とする請求項１又は２記載の緩衝環。
【請求項５】
強靭なロープの一端を請求項１記載の緩衝環の取付孔部に取付け、前記ロープの他端に、親綱へ係止するフックを取付けたことを特徴とする安全確保綱。
【考案の詳細な説明】
【技術分野】
【０００１】
この考案は、高所や転落の恐れのある場所で様々な作業を行う場合に、作業者が足場から転落した時に、作業者の落下を防止し、安全を確保する際有効な緩衝作用を発生する緩衝環及びこれを用いた安全確保綱に関する。
【背景技術】
【０００２】
従来作業者が装着する安全確保用の安全帯と、安全確保綱とは、セットで使用され、優れた効果を発揮しているが、安全確保綱に介装する緩衝器については、スプリングなどを介装する外に有効な提案がない。
【０００３】
前記緩衝器については、比較的軽量で緩衝効果（容量）の大きい物が好ましいが、この相反する特性を満足させる提案がない。
【特許文献１】実開平６−６８７６５
【特許文献２】実用新案登録第２６００７７１号
【考案の開示】
【考案が解決しようとする課題】
【０００４】
従来の安全確保用の安全帯（安全ベルト）には、例えばＤ環が使用されて安全ベルトと安全確保綱との間を連結しているが、軽量の反面、緩衝容量が小さい問題点があった。
【０００５】
またスプリングなどの弾性部材を使用する提案（特許文献１）もあるが、緩衝容量を大きくすると重量が大きくなる問題点がある。
【課題を解決するための手段】
【０００６】
この考案は、従来使用されているＤ環（特許文献１の符号４）に代えて、屈曲部を有する緩衝環を使用することにより、前記従来の問題点を解決したのである。
【０００７】
即ちこの考案は、鋼線を屈曲してベルト挿通用の長孔部と、安全確保綱の取付孔部とを形成し、その間を屈曲部で連結したことを特徴とする緩衝環であり、屈曲部は、外側への張出部と、内側への狭小部とを中心線に対し、対称的に連結したものである。また他の考案は、取付孔部は、突縁を設けてほぼ円形、コ形、又は長孔状に形成したものであり、屈曲部は、中心線に対し、同一形状で対称的に形成したものである。
【０００８】
次に他の考案は、強靭なロープの一端を請求項１記載の緩衝環の取付孔部に取付け、前記ロープの他端に、親綱へ係止するフックを取付けたことを特徴とする安全確保綱である。
【０００９】
前記この考案によれば、強靭かつ硬質の線材（例えば直径５ｍｍの鋼線）が外力を受けて変形する（屈曲部が伸ばされる）ので、変形時に多大のエネルギーを吸収することになるが、このエネルギーが緩衝エネルギーとして有効に使用されるので、比較的小さいにも拘らず、大きな緩衝力を期待することができる。
【００１０】
この考案の緩衝環と、従来使用されているＤ環の落下試験の結果、表１を得た。
【表１】
0003118480.tif 000003
【００１１】
前記のように、この考案の緩衝環（考案Ｄ環）を使用すると、衝撃荷重が、ほぼ８％〜１０％減となることが判る。
【００１２】
また前記で用いた考案Ｄ環の破断強度は、２９．９ＫＮとなっており、規格で定められた１１．５ＫＮの２倍以上になっていることが認められた。
【考案の効果】
【００１３】
この考案によれば、安全ベルトと、ロープとの間に介装する為に鋼線を屈曲したＤ環を成形したので、軽量で緩衝容量の大きい緩衝環ができた。
【００１４】
またこの緩衝環をロープに取付けて使用したので、軽量で、緩衝容量の大きい安全確保綱を得る効果がある。
【考案を実施するための最良の形態】
【００１５】
この考案は、鋼線を屈曲してベルト挿通用の長孔部と、安全確保綱の取付孔部とを形成し、その間を、外側に膨出した屈曲部と、中心部で屈曲した屈曲部とを中心線に対して対称的に連結し、前記取付孔部は円形又はコ形その他の形状に形成し、全体を一本の鋼線で成形した緩衝環である。
【００１６】
また強靭なロープの一端に、前記緩衝環の取付孔部を取付け、前記ロープの他端に親綱へ係止するフックを取付けて、安全確保用綱を形成した。
【００１７】
前記における屈曲部は二つ以上が好ましく、かつ中心線に対し、対称形（かつ相似形）が好ましい。このようにすると、外力が掛った際に、緩衝環がほぼ均等に変形してエネルギーを吸収できるからである。
【００１８】
前記によれば、緩衝環は一本の鋼線により形成するので、強度が均一化される利点がある。
【実施例１】
【００１９】
この考案の実施例を図１に基づいて説明すれば、一本の強靭な鋼線１（例えばニッケルクロム鋼線）を屈曲して、安全ベルト２を挿通する長孔部３を設けると共に、中央部から直角に折り曲げて中心線４と平行な狭小部５を成形し、前記挟小部５から外側に膨出した孤状部６、６を屈曲成形して、その端部を孤形部７に連結し、前記孤形部７の開口側へ突起８、８を連設して孤形部７をほぼ円形に形成して、この考案の緩衝環１０を構成した。
【００２０】
図中９はロープ、１１は親綱へ係止するフックである。
【００２１】
前記実施例において、装着者が転落すると、親綱（図示してない）へ係止したフック１１によって、親綱へ、ロープ９を介し作業者が吊り下がった状態となる。この場合に、ロープ９へ強力な引張力が働くので、緩衝環１０は変形して衝撃力を吸収し、作業者のショックを緩衝することができる。前記緩衝環のように、中心線に対し、直角方向への屈曲部があると、緩衝効果が大きい。
【００２２】
実験した所、緩衝環１０は、図３のように引張により変形されて、その変形エネルギーによって衝撃は有効に緩衝される。
【実施例２】
【００２３】
この考案の他の実施例を図２（ａ）について説明すれば、１本の鋼線１を屈曲して、安全ベルト２を挿通する長孔部３を設けると共に、前記長孔部３の内側へ、中心線４に対し、直角方向にＵ字状の屈曲部５ａ、５ａを対称的に設け、そのまま外側に張出して長孔部３ａを設ける。前記長孔部３ａの外辺の中央に管部１６を固定仕、該管部１６に、吊環１３の軸部１４を回転自在に取付けて、この考案の緩衝環１０ａを得た。
【００２４】
次に図２（ｂ）によれば、安全ベルトを挿通する長孔部３、３と、ロープを連結する長孔部３ａ、３ａをＵ字状の屈曲部５ｂ、５ｂで連結し、この考案の緩衝環１０ｂを得た。
【００２５】
また図２（ｃ）によれば、安全ベルトを挿通する長孔部３と、これより小さい長孔部３ａ、３ｂとをＵ字状の屈曲部５ｂ、５ｂ、５ｃ、５ｃで連結し、前記長孔部３ｂの中央部に、ロープを連結するコ状部１５を設けて、この考案の緩衝環１０ｃを得た。
【００２６】
前記緩衝環１０ａ、１０ｂ、１０ｃは何れも、図１の緩衝環１０と同様に使用するものであって、屈曲量により、緩衝容量を異にし、中心線４に対し、同一形状で対称的に形成されている。
【実施例３】
【００２７】
この考案の実施例を図４について説明すると、ロープ９の一端を緩衝環１０の孤形部７へ取付け、ロープ９の他端へフック１１を取付ければ、この考案の安全確保ロープ１２が構成される。
【００２８】
前記実施例によれば、安全確保ロープ１２に緩衝環１０を取付けたので、従来使用されているＤ環に比し、大きな緩衝力を発揮できる効果がある。
【図面の簡単な説明】
【００２９】
【図１】（ａ）この考案の実施例の平面図、（ｂ）同じく側面図。
【図２】（ａ）、（ｂ）、（ｃ）同じく他の実施例の平面図。
【図３】同じく緩衝環を伸長変形した図。
【図４】同じく安全確保ロープと安全ベルトの一部を省略した正面図。
【符号の説明】
【００３０】
１  鋼線
２  安全ベルト
３  長孔部
５  狭小部
６  孤状部
７  孤形部
１０  緩衝環
１２  安全確保ロープ
【図１】
0003118480.tif 000004
【図２】
0003118480.tif 000005
【図３】
0003118480.tif 000006
【図４】
0003118480.tif 000007